(57)【要約】本発明のディスクカートリッジは、ディスクを回転可能に収納し、開口部と窪み部とを有するカートリッジケースと、窪み部上をスライドして開口部を開閉するシャッターとを備える。カートリッジケースは第１の係合部を有し、シャッターは第２の係合部を有する。第１の係合部と第２の係合部とは、開口部が閉状態時にのみ、第２の係合部の少なくとも一部が第１の係合部よりも下に位置した状態で係合するように形成されている。
2002086893.tif 000002
【特許請求の範囲】
【請求項１】
ディスクを回転可能に収納し、開口部と窪み部とを有するカートリッジケースと、
前記窪み部上をスライドして前記開口部を開閉するシャッターと
を備えたディスクカートリッジであって、
前記カートリッジケースは第１の係合部を有し、
前記シャッターは第２の係合部を有し、
前記第１の係合部と前記第２の係合部とは、前記開口部が閉状態時にのみ、前記第２の係合部の少なくとも一部が前記第１の係合部よりも下に位置した状態で係合するように形成されている、ディスクカートリッジ。
【請求項２】
前記第１の係合部は第１の傾斜面を有し、
前記第２の係合部は第２の傾斜面を有し、
前記第１の傾斜面と前記第２の傾斜面とは面している、請求の範囲１に記載のディスクカートリッジ。
【請求項３】
ディスクを回転可能に収容するカートリッジケースであって、開口部と窪み部とを有する第１のケースと第２のケースとを接合して形成される、カートリッジケースと、
前記窪み部上をスライドして前記開口部を開閉するシャッターと
を備えたディスクカートリッジであって、
前記第１のケースの厚さをｄ１、前記第２のケースの厚さをｄ２、前記シャッターがスライドする方向に対して垂直な方向をＸ軸とし、前記カートリッジケースのＸ軸方向の長さをＬとすると、
Ｘ＝０付近の位置では、前記第１のケースの厚さと前記第２のケースの厚さとの関係は、ｄ１＝ｄ２であり、
Ｘ＝０付近以外の位置では、前記第１のケースの厚さと前記第２のケースの厚さとの関係は、ｄ１≠ｄ２であり、
０≦Ｘ≦Ｌにおいて、前記第１のケースの厚さと前記第２のケースの厚さとの和は、一定（＝ｄ１＋ｄ２）であり、
Ｘ＝０付近の位置に前記シャッターが設けられている、ディスクカートリッジ。
【請求項４】
前記第１のケースおよび前記第２のケースのうち一方のケースは、ライトプロテクトを収納するための溝部を有し、
前記溝部には、前記ライトプロテクトを挿入する挿入位置と、前記ライトプロテクトが固定される固定位置とが定義されており、
前記溝部は、前記固定位置に前記突出部を有し、
前記ライトプロテクトは、案内溝を有し、
前記突出部と前記案内溝とは、前記ライトプロテクトが前記固定位置にある時に係合するように形成されている、請求の範囲３に記載のディスクカートリッジ。
【請求項５】
ディスクカートリッジを製造する方法であって、
前記ディスクカートリッジは、
ディスクを回転可能に収容するカートリッジケースであって、前記カートリッジケースは、開口部と窪み部とを有する第１のケースと第２のケースとを接合して形成される、カートリッジケースと、
前記窪み部上をスライドして前記開口部を開閉するシャッターと
を備え、
前記第１のケースの厚さをｄ１、前記第２のケースの厚さをｄ２、前記シャッターがスライドする方向に対して垂直な方向をＸ軸とし、前記カートリッジケースのＸ軸方向の長さをＬとすると、
Ｘ＝０付近の位置では、前記第１のケースの厚さと前記第２のケースの厚さとの関係は、ｄ１＝ｄ２であり、
Ｘ＝０付近以外の位置では、前記第１のケースの厚さと前記第２のケースの厚さとの関係は、ｄ１≠ｄ２であり、
０≦Ｘ≦Ｌにおいて、前記第１のケースの厚さと前記第２のケースの厚さとの和は、一定（＝ｄ１＋ｄ２）であり、
Ｘ＝０付近の位置に前記シャッターが設けられている、ディスクカートリッジであって、
前記方法は、
Ｘ＝０付近の位置において前記第１のケースと前記第２のケースとを接合するステップと、
前記接合した第１のケースおよび第２のケースに前記シャッターを取付けるステップと、
Ｘ＝０付近以外の位置において前記第１のケースと前記第２のケースとの間に隙間を設けるステップと、
前記隙間から前記ディスクを挿入するステップと、
Ｘ＝０付近以外の位置において前記第１のケースと前記第２のケースとを接合するステップと
を包含する、方法。
【発明の詳細な説明】
技術分野
本発明は、情報記録媒体を回転可能に収納するディスクカートリッジに関し、より詳細には、シャッターの浮き上がりを防止した薄型化ディスクカートリッジに関する。
背景技術
大容量な情報記録媒体として、ＤＶＤ（Ｄｉｇｉｔａｌ  Ｖｅｒｓａｔｉｌｅ  Ｄｉｓｋ）等の光ディスクが知られている。情報記録媒体に記録されるべき情報量の増大に伴い、高密度記録技術の向上はめざましい。このような高密記録技術の向上に伴って、光ディスクの小型化・薄型化が進み、オーディオヘッドフォンステレオ、静止画カメラ、ビデオカメラ、および、ＰＤＡ（Ｐｅｒｓｏｎａｌ  Ｄｉｇｉｔａｌ  Ａｓｓｉｓｔａｎｔ）等のコンピュータのデータ記憶装置として、小径・薄型光ディスク駆動装置が求められている。
このような小径・薄型光ディスク駆動装置は、可搬性、携帯性が重視される。小径・薄型光ディスク駆動装置において駆動される光ディスクもまた、人がポケットに入れるなどして、手軽に持ち運べることを必要とする。光ディスクの表面に塵埃が付着すると、光ディスクに情報を記録する、および／または、光ディスクに記録された情報を再生するために必要なエネルギーを光ディスクの記録層に供給することができず、情報の記録／再生ができない場合がある。そのため、防塵性に優れ、かつ、薄型化した、光ディスクを収納するディスクカートリッジが、要求されている。防塵性に優れたディスクカートリッジの例として、特開平６−３１４４８０および特開平１０−１４４０４０が知られている。これら特開平６−３１４４８０および特開平１０−１４４０４０に記載の技術を以下に示す。
図１１は、従来技術のディスクカートリッジ１１００の斜視図である。ディスクカートリッジ１１００は、カートリッジケース１１０１と、シャッター１４と、シャッターロック１５と、ライトプロテクト１６と、押さえ板１７とを備える。
カートリッジケース１１０１は、第１のケース（下ケース）１２と、第２のケース（上ケース）１３とを接合して形成されている。カートリッジケース１１０１には、光ディスク１が回転可能に収納されている。第１のケース１２は、収納された光ディスク１に情報を記録する、または、光ディスク１に記録された情報を再生するための、光学ヘッドとスピンドルモータとが挿入される細長い開口部１２ａを有する。
シャッター１４は、開口部１２ａを開閉するように、カートリッジケース１１０１上をスライドする。シャッター１４は、細長い薄板構造であるため、シャッター１４の先端部は剛性が弱く、第１のケース１２の上面から離れる方向に浮き上がり易い。人がディスクカートリッジ１１００を携帯時に、シャッター１４が第１のケース１２から浮き上がると、シャッター１４の浮き上がりによって生じた隙間から塵埃等が混入する。
押さえ板１７は、上述のシャッター１４の浮き上がりを防止するように機能する。押さえ板１７は、第１のケース１２に接着または溶着することによって接合されている。
シャッターロック１５は、開口部１２ａが閉状態時に、開口部１２ａを開状態にする方向にシャッター１４がスライドしないように、シャッター１４の動作を規制する。シャッターロック１５は、カートリッジケース１１０１内部に設けられている。
ライトプロテクト１６は、第１のケース１２と第２のケース１３との間で移動して、光ディスク１への情報の記録を制御する。
図１１のディスクカートリッジ１１００は、防塵性に優れるもののの、押さえ板１７としてさらなる部品を設けることと、この押さえ板１７を第１のケース１２に接合するステップとを必要とするため、コスト効率が悪い。
図１２は、別の従来技術のディスクカートリッジ１２００の斜視図である。ディスクカートリッジ１２００は、押さえ板１７の代わりに押さえ板部１２ｂを設けた点以外は図１１のディスクカートリッジ１１００と同じである。従って、図１２において、図１１に示される構成要素と同一の構成要素には同一の参照番号を付し、その説明を省略する。
押さえ板部１２ｂは、第１のケース１２の一部として一体成形されている。押さえ板部１２ｂと図１１の押さえ板１７とは同一の機能を有している。図１１のディスクカートリッジ１１００に比べて、図１２のディスクカートリッジ１２００には、部品点数の増加はないが、複雑な金型を用いた製造プロセスを必要とするため、やはりコスト効率が悪い。
図１３は、図１２のＡ−Ａ断面図を示す。図１３では、簡単のため、第１のケース１２とシャッター１４とのみを示し、第２のケース１３は示さない。シャッター１４の先端部１４ａは、押さえ部１２ｂの下に位置する。これによりシャッター１４の浮き上がりが防止される。シャッター１４は紙面に対して垂直な方向にスライドする。このスライド範囲すべての領域にわたって、先端部１４ａと押さえ板部１２ｂとの間、および、先端部１４ａと第１のケース１２の掘り込み部１２ｃとの間には、それぞれ遊びｓ１とｓ２とが設けられており、これによりシャッター１４が押さえ板部１２ｂの下をスライド可能となる。この遊びｓ１およびｓ２は、図１１のディスクカートリッジ１１００にも設けられている。
図１１および図１２に示すディスクカートリッジ１１００、１２００は、遊びｓ１およびｓ２を考慮した設計が必要である。この遊びｓ１およびｓ２は、カートリッジケースの板厚に大きく影響する。
カートリッジケース１２の厚みを支配するところは、押さえ板部１２ｂと、シャッター１４の先端部１４ａと、掘り込み部１２ｃとの重なった部分である。これらの重なった部分の厚さＨは、
Ｈ＝ｈ１（押さえ板部１２ｂの厚さ）＋ｈ２（掘り込み部１２ｃの厚さ）＋ｈ３（先端部１４ａの厚さ）＋ｓ１（遊び）＋ｓ２（遊び）
と表される。すなわち、重なった部分の厚さＨは、３つの部品と遊びとの総和ととなる。従って、カートリッジケースおよびシャッターに用いる材料として剛性の高い材料を選択したり、成型条件等のプロセスを工夫したとしても、これらカートリッジケースおよびシャッターの薄肉部品の製造には限界があり、薄型化は困難である。
また、シャッター１４がスライドする領域では、シャッター１４の位置に応じた摺動力変化（スライド力の変化）を防止するために、スライド領域全体にわたる広範囲の加工精度、シャッター１４およびカートリッジケース１２の材質の違いに基づく温度膨張係数の差等を考慮すると、上述の遊びｓ１およびｓ２を大きく設計しなければならない。この結果、カートリッジケースの板厚は厚くなる。従って、ディスクカートリッジの薄型化は困難である。
図１４は、従来技術のディスクカートリッジ１１００の製造方法を示す。製造手順を以下のステップＳ１４００〜Ｓ１４０３に説明する。
Ｓ１４００：押さえ板１７を第１のケース１２に接合する。
Ｓ１４０１：第２のケース１３上の所定の位置に光ディスク１と、シャッターロック１５と、ライトプロテクト１６とを配置する。
Ｓ１４０２：押さえ板１７が接合された第１のケース１２と、所定位置に光ディスク１と、シャッターロック１５と、ライトプロテクト１６とが配置された第２のケース１３とを接合する。第１のケース１２と第２のケース１３との接合は、第１のケース１２および第２のケース１３の周辺または四隅を溶着することによって行われる。
Ｓ１４０３：接合されたカートリッジケース１１０１にシャッター１４を開口部の側から矢印Ａ（図１４）の方向に挿入する。
図１４に示される製造方法では、光ディスク１と、第１のケース１２と、第２のケース１３と、シャッター１４と、シャッターロック１５と、ライトプロテクト１６と、押さえ板１７とが、同一場所、同一時刻に整った時にのみ、組み立てを行うことができる。従って、ディスクカートリッジ部品の単品検査を行うことはできるが、組み合わせ不良の発見は不可能である。例えば、光ディスク１は良品であるが、シャッター１４と、第１のケース１２と、第２のケース１３と、シャッターロック１５と、ライトプロテクト１６との間で組み合わせ不良が生じたと仮定する。この場合、図１４に示される製造方法では、組み立てられたディスクカートリッジは、良品の光ディスク１を取り出すことができない。そのため、組み立てられたディスクカートリッジ全体が不良品となり、歩留まりとともにコスト効率が悪くなる。
図１４に示される製造方法では、製造プロセスの自由度が少ない。すなわち、光ディスクとディスクカートリッジとをそれぞれに適した地域で完全に独立して製造することができない。このような状況では、ディスクカートリッジの製造コストを低下させることが困難である。
従って、本発明は、このような課題を考慮してなされたものであって、コスト効率のよい浮き上がりを防止した薄型化ディスクカートリッジを提供することを目的とする。
本発明の別の目的は、コスト効率のよい歩留まりが向上したディスクカートリッジおよびその製造方法を提供することである。
発明の開示
本発明のディスクカートリッジは、ディスクを回転可能に収納し、開口部と窪み部とを有するカートリッジケースと、前記窪み部上をスライドして前記開口部を開閉するシャッターとを備えたディスクカートリッジであって、前記カートリッジケースは第１の係合部を有し、前記シャッターは第２の係合部を有し、前記第１の係合部と前記第２の係合部とは、前記開口部が閉状態時にのみ、前記第２の係合部の少なくとも一部が前記第１の係合部よりも下に位置した状態で係合するように形成されており、これにより上記目的を達成する。
前記第１の係合部は第１の傾斜面を有し、前記第２の係合部は第２の傾斜面を有し、前記第１の傾斜面と前記第２の傾斜面とは面していてもよい。
本発明のディスクカートリッジは、ディスクを回転可能に収容するカートリッジケースであって、開口部と窪み部とを有する第１のケースと第２のケースとを接合して形成される、カートリッジケースと、前記窪み部上をスライドして前記開口部を開閉するシャッターとを備えたディスクカートリッジであって、前記第１のケースの厚さをｄ１、前記第２のケースの厚さをｄ２、前記シャッターがスライドする方向に対して垂直な方向をＸ軸とし、前記カートリッジケースのＸ軸方向の長さをＬとすると、Ｘ＝０付近の位置では、前記第１のケースの厚さと前記第２のケースの厚さとの関係は、ｄ１＝ｄ２であり、Ｘ＝０付近以外の位置では、前記第１のケースの厚さと前記第２のケースの厚さとの関係は、ｄ１≠ｄ２であり、０≦Ｘ≦Ｌにおいて、前記第１のケースの厚さと前記第２のケースの厚さとの和は、一定（＝ｄ１＋ｄ２）であり、Ｘ＝０付近の位置に前記シャッターが設けられており、これにより上記目的を達成する。
前記第１のケースおよび前記第２のケースのうち一方のケースは、ライトプロテクトを収納するための溝部を有し、前記溝部には、前記ライトプロテクトを挿入する挿入位置と、前記ライトプロテクトが固定される固定位置とが定義されており、前記溝部は、前記固定位置に前記突出部を有し、前記ライトプロテクトは、案内溝を有し、前記突出部と前記案内溝とは、前記ライトプロテクトが前記固定位置にある時に係合するように形成されていてもよい。
本発明によるディスクカートリッジを製造する方法は、前記ディスクカートリッジが、ディスクを回転可能に収容するカートリッジケースであって、前記カートリッジケースは、開口部と窪み部とを有する第１のケースと第２のケースとを接合して形成される、カートリッジケースと、前記窪み部上をスライドして前記開口部を開閉するシャッターとを備え、前記第１のケースの厚さをｄ１、前記第２のケースの厚さをｄ２、前記シャッターがスライドする方向に対して垂直な方向をＸ軸とし、前記カートリッジケースのＸ軸方向の長さをＬとすると、Ｘ＝０付近の位置では、前記第１のケースの厚さと前記第２のケースの厚さとの関係は、ｄ１＝ｄ２であり、Ｘ＝０付近以外の位置では、前記第１のケースの厚さと前記第２のケースの厚さとの関係は、ｄ１≠ｄ２であり、０≦Ｘ≦Ｌにおいて、前記第１のケースの厚さと前記第２のケースの厚さとの和は、一定（＝ｄ１＋ｄ２）であり、Ｘ＝０付近の位置に前記シャッターが設けられている、ディスクカートリッジであって、Ｘ＝０付近の位置において前記第１のケースと前記第２のケースとを接合するステップと、前記接合した第１のケースおよび第２のケースに前記シャッターを取付けるステップと、Ｘ＝０付近以外の位置において前記第１のケースと前記第２のケースとの間に隙間を設けるステップと、前記隙間から前記ディスクを挿入するステップと、Ｘ＝０付近以外の位置において前記第１のケースと前記第２のケースとを接合するステップとを包含し、これにより上記目的を達成する。
発明を実施するための最良の形態
（実施の形態１）
図１は、本発明の実施の形態１のディスクカートリッジ１００の構成を示す。図１（ａ）は、第２のケース（上ケース）の平面図である。図１（ｂ）は、シャッター側の側面図である。図１（ｃ）は、第１のケース（下ケース）の平面図である。
ディスクカートリッジ１００は、カートリッジケース１０１と、シャッター４と、シャッターロック５と、ライトプロテクト６とを備える。
カートリッジケース１０１は、第１のケース（下ケース）２と、第２のケース（上ケース）３とを接合して形成されている。カートリッジケース１０１には、光ディスク（ディスク）１が回転可能に収納されている。第１のケース２は、収納された光ディスク１に情報を記録する、または、光ディスク１に記録された情報を再生するための、光学ヘッドとスピンドルモータとが挿入される細長い開口部２ａを有する。
シャッター４は、開口部２ａを開閉するように、カートリッジケース１０１上をスライドする。
シャッターロック５は、開口部２ａが閉状態時に、開口部２ａを開状態にする方向にシャッター４がスライドしないように、シャッター４の動作を規制する。シャッターロック５は、カートリッジケース１０１内部に設けられている。
ライトプロテクト６は、第１のケース２と第２のケース３との間で移動して、光ディスク１への情報の記録を制御する。
図２は、本発明の実施の形態１のカートリッジケース１０１の斜視図である。図２のカートリッジケース１０１の第１のケース２には、窪み部２ｄが設けられている。この窪み部２ｄを設けることによって、シャッター４が第１のケース２上をスライドする。図示しないが、第２のケース３にも窪み部が設けられている。この場合も同様に、シャッター４が第２のケース３上をスライドする。
第１のケース２は、第１の係合部２ｃを有する。第１の係合部２ｃは、シャッター４が開口部２ａを閉じた際に、第１のケース２がシャッター４と接する位置に形成される。
第１のケース２には、窪み部２ｄと第１の係合部２ａとを設けさえすればよい。従って、シャッター４が第１のケース２上をスライドする際に従来必要とされた「遊び」（図１３のｓ１およびｓ２）を考慮することなく第１のケース２を設計することができる。
図３は、本発明の実施の形態１のシャッター４の斜視図である。シャッター４は、樹脂、金属等から形成され得る。シャッター４は、細長い薄板構造であり、開口部２ａを覆うに十分な面積を有している。
シャッター４は、先端部４ｂに形成された第２の係合部４ａを有する。第２の係合部４ａは、シャッター４が開口部２ａを閉じた際に、シャッター４が、第１のケース２と接する位置に形成されている。図３では、シャッター４は、先細かつ肉厚の先端部４ｂを有しているが、第２の係合部４ａを形成することが可能な限り、この形状に限定されない。例えば、シャッター４は先端部４ｂを有していなくてもよい。この場合、シャッター４は矩形であり得、第２の係合部４ａは、矩形の１つの角に形成され得る。
図４は、本発明の実施の形態１のディスクカートリッジ１００の斜視図である。図４（ａ）は、シャッター４によって開口部２ａが閉じられた状態のディスクカートリッジ１００を示す。図４（ｂ）は、開口部２ａが開いた状態のディスクカートリッジ１００を示す。
図５は、シャッター４が樹脂からなる場合の、図４のＡ−Ａ断面図である。図５では、簡単のため、第１のケース２とシャッター４とのみを示し、第２のケース３は示さない。次に、図４および図５を参照して、カートリッジケース１０１の第１のケース２に形成された第１の係合部２ｃと、シャッター４に形成された第２の係合部４ａとを詳細に説明する。
図５に示されるように、シャッター４は窪み部２ｄ上をＡ方向にスライドする。図５の▲１▼位置は、開口部２ａが開いた状態であり、図４（ｂ）の状態に相当する。図５の▲２▼位置は、開口部２ａが閉じた状態であり、図４（ａ）の状態に相当する。この位置では、シャッター４の下部に第１のケース２の部材は配置されない。第１の係合部２ｃは、第１の傾斜面５００を有する。第２の係合部４ａは、第２の傾斜面５０１を有する。第１の係合部２ｃおよび第２の係合部４ａの形状は、傾斜面に限定されない。例えば、第１の係合部２ｃおよび第２の係合部４ａが、鉤状片部を有していもよい。
シャッター４が▲１▼位置から▲２▼位置へと窪み部２ｄ上をスライドし、その後、▲２▼位置に達したとき、第１の係合部２ｃと第２の係合部４ａとは、第２の係合部４ａの少なくとも一部が第１の係合部２ｃの下に位置した状態で係合する。図５では、第１の係合部２ｃと第２の係合部４ａとは、第２の傾斜面５０１が第１の傾斜面５００と面した状態で係合している。このように第１の係合部２ｃと第２の係合部４ａとを係合するように形成することによって、開口部２ａを閉じた状態において、シャッター４の浮き上がりを防止することができる。第１の係合部２ｃと第２の係合部４ａとを確実に係合させるために、シャッター４は厚肉であることが好ましい。しかしながら、シャッター４は、シャッター４の上面が第２のケース２の上面を超えるような設計にはされない。
図６は、シャッター４が金属からなる場合の、図４のＡ−Ａ断面図である。シャッター４の形状が異なるものの実質的には図５と同様である。シャッター４が金属から形成される場合にも、第１の係合部２ｃと第２の係合部４ａとを確実に係合させるために、シャッター４は厚肉にするほうが好ましい。図６のシャッター４は、金属製薄板を折り曲げて厚肉となるように加工されている。
本発明の実施の形態１のディスクカートリッジ１００では、第１の係合部２ｃと第２の係合部４ａとが、開口部２ａが閉状態時にのみ、第２の係合部４ａの少なくとも一部が第１の係合部２ｃよりも下に位置した状態で係合するように形成されているので、開口部２ａが閉状態時のシャッター４の浮き上がりを防止することができる。開口部２ａが閉状態時とは、例えば、人がディスクカートリッジ１００をポケットに入れて持ち運ぶ時などディスクカートリッジ１００がディスク駆動装置（図示せず）の外にある時を指す。一方、開口部２ａが開状態時とは、光ディスク１に情報を記録する、または、光ディスク１に記録された情報を再生するために、ディスクカートリッジ１００がディスク駆動装置内にある時を指す。従って、開口部２ａが開状態時には、人がディスクカートリッジ１００内部の光ディスク１に手を触れることはないので、シャッター４の浮き上がり防止をする必要はない。
シャッター４の浮き上がり防止を開口部２ａが閉状態時にのみ行うため、従来必要とされた、シャッター４が第１のケース２上をスライドするための、シャッター４と第１のケース２との間の遊びを設ける必要がない。従って、この遊びが不要な分、ディスクカートリッジの薄型化が可能である。
また、本発明によるディスクカートリッジは、シャッターの先端部をカートリッジケースで挟む構造ではないので、シャッター４の先端部４ｂおよび第１のケース２の窪み部２ｄの寸法の精度は粗でよい。そのため、シャッター４と第１のケース２とをより薄肉に成型加工することができ、ディスクカートリッジの薄型化およびコスト効率も向上する。
また、第１の係合部２ｃと第２の係合部４ａとがそれぞれ第１の傾斜面５００と第２の傾斜面５０１とを有する場合には、第１の傾斜面５００と第２の傾斜面５０１とが面した状態で係合する。従って、従来に比べて密閉性が向上し、防塵性に優れる。この傾斜面の傾斜角の大きさによって、シャッター４および第１のケース２の厚さをさらに薄くすることも可能である。
また、押さえ板（図１１の１７）等のさらなる部品、または、複雑な金型を用いた製造プロセスを必要としないので、コスト効率もよい。
（実施の形態２）
図７は、本発明の実施の形態２のディスクカートリッジ７００の構成を示す。図７（ａ）は、ディスクカートリッジ７００の斜視図である。図７（ｂ）は、ディスクカートリッジ７００の側面図である。ディスクカートリッジ７００は、第１のケース７０２と第２のケース７０３との厚さが異なる点、および、ライトプロテクト７０６以外は図１のディスクカートリッジ１００と同じである。従って、図７において、図１に示される構成要素と同一の構成要素には同一の参照番号を付し、その説明を省略する。
第１のケース７０２の厚さをｄ１、第２のケース７０３の厚さをｄ２、シャッター４がスライドする方向に対して垂直な方向をＸ軸とし、カートリッジケース７０４のＸ軸方向の長さをＬとする。Ｘ＝０付近の位置（図７の２ｅ）にシャッター４が設けられている。
第１のケース７０２と第２のケース７０３とは、次の３つの条件を満たすように形成される。
▲１▼Ｘ＝０付近の位置（図７の２ｅ）では、第１のケース７０２の厚さと第２のケース７０３の厚さとの関係はｄ１＝ｄ２である。
▲２▼Ｘ＝０付近以外の位置（図７の２ｆ）では、第１のケース７０２の厚さと第２のケース７０３の厚さとの関係は、ｄ１≠ｄ２である。
▲３▼カートリッジケース７０３のＸ軸方向の長さＬにわたって（すなわち、Ｘの範囲が０≦Ｘ≦Ｌ）、第１のケース７０２の厚さと第２のケース７０３の厚さの和は常に一定（＝ｄ１＋ｄ２）である。
図７においては、条件▲２▼の第１のケース７０２の厚さと第２のケース７０３の厚さとの関係は、ｄ１＞ｄ２であるが、ｄ１＜ｄ２であってもよい。また、ｄ１≠ｄ２となる第１のケース７０２と第２のケース７０３との長さは、好ましくは、２／３×Ｌ以上である。本明細書中において「Ｘ＝０付近」とは、カートリッジケース７０４のＸ＝０の位置から少なくとも１／４×Ｌの長さを有する範囲を指す。
このように構成されたディスクカートリッジ７００では、Ｘ＝０付近位置において第１のケース７０２と第２のケース７０３とを強固に接合しても、第１のケース７０２の厚さよりも薄い第２のケース７０３は撓み易くなる。これにより、Ｘ＝Ｌにおいて第１のケース７０２と第２のケース７０３とを引き離す方向に力を印加すると、第２のケース７０３が撓んで、Ｘ＝０付近以外の位置（図７の２ｆ）において第１のケース７０２と第２のケース７０３との間に隙間が生じる。この隙間は、光ディスク１が挿入可能な大きさである。
図１５は、従来技術のライトプロテクト１６と第１のケース１２の一部とを示す。第１のケース１２は、ライトプロテクト１６を収納するための溝部１２ｇを有する。ライトプロテクト１６は、Ａの方向に溝部１２ｇ内に挿入される。ライトプロテクト１６は、第１のケース１２と第２のケース１３との間を移動可能なように構成されている。
本発明のディスクカートリッジ７００に従来のライトプロテクト１６を採用した場合、第１のケース７０２と第２のケース７０３との間に隙間を生じると、ライトプロテクト１６は第１のケース１２から外れる可能性がある。製造時にライトプロテクト１６が外れると、不良品が増大する、製造効率が低下する等の問題が発生することになる。従って、第１のケース７０２と第２のケース７０３との間に隙間を生じた際にも、カートリッジケースから外れないライトプロテクトが必要とされる。
図８は、本発明のライトプロテクト７０６と第１のケース７０２の一部とを示す。第１のケース７０２は、ライトプロテクト７０６を収納するための溝部２ｇを有する。溝部２ｇには、ライトプロテクト７０６が挿入される挿入位置（図８の▲１▼）と、ライトプロテクト７０６が固定される固定位置（図８の▲２▼）とが定義されている。溝部２ｇには、固定位置に少なくとも１つの突出部２ｈが設けられている。図８では、突出部２ｈは溝部２ｇの側面に設けられている。ライトプロテクト７０６は、少なくとも１つの案内溝６ａを有する。案内溝６ａは、ライトプロテクト７０６の移動方向（図８ではＢの方向）と平行な方向に設けられている。図８では、案内溝６ａは、ライトプロテクト７０６の側面に設けられている。
このように構成されたライトプロテクト７０６と第１のケース７０２の溝部２ｇによれば、ライトプロテクト７０６は、Ａの方向から溝部２ｇ内に挿入される（挿入位置（図８の▲１▼））。このとき、突出部２ｈは固定位置（図８の▲２▼）にあるため、ライトプロテクト７０６の挿入には何ら影響しない。その後、挿入されたライトプロテクト７０６をＢの方向へと移動する。突出部２ｈと案内溝６ａとは、ライトプロテクト７０６が固定位置にある時に係合するように形成されている。
一旦突出部２ｈと案内溝６ａとが係合すると、ライトプロテクト７０６は、案内溝６ａの長さ分だけ移動することができる。これにより、ライトプロテクト７０６は、光ディスク１への情報の書き込みの許可／不許可を制御する。また、一旦突出部２ｈと案内溝６ａとが係合すると、第１のケース７０２と第２のケース７０３との間に隙間を生じても、ライトプロテクト７０６が、カートリッジケース７０４から外れることはない。
図８では、突出部２ｈおよび案内溝６ａは、それぞれ溝部２ｇの側面とライトプロテクト７０６の側面に設けられているが、側面に限定されない。突出部２ｈと案内溝６ａとが係合する限り、例えば、突出部２ｈと案内溝６ａとをそれぞれ溝部２ｇの底面とライトプロテクト７０６の底面に設けてもよい。また、溝部２ｇを第２のケース７０３に設けてもよい。
図９は、本発明の実施の形態２のディスクカートリッジ７００の製造方法を示す。
図１０は、本発明の実施の形態２のディスクカートリッジ７００を製造する手順を示すフローチャートである。図９および図１０を参照しながら、実施の形態２のディスクカートリッジ７００を製造する手順をステップＳ１００１〜ステップＳ１００５に説明する。
Ｓ１００１：シャッターロック５およびライトプロテクト７０６を第１のケース７０２の所定の位置に配置する。ライトプロテクト７０６は、上述したように、Ａの方向から溝部２ｇの挿入位置に挿入されて、Ｂの方向に移動される。ライトプロテクト７０６は、固定位置において突出部２ｈと案内溝６ａとが係合することによって、第１のケース７０２に移動可能に固定される。第２のケース７０３を第１のケース７０２上に被せて、Ｘ＝０付近の位置（図９の２ｅ）において第１のケース７０２と第２のケース７０３とを接合する。第１のケース７０２と第２のケース７０３とは、溶着または機械接合によって強固に接合される。なお、Ｘ＝０付近の位置における接合は、第１のケース７０２と第２のケース７０３との辺を接合してもよいし、Ｘ＝０である位置において第１のケース７０２と第２のケース７０３との隅を接合してもよい。
Ｓ１００２：ステップＳ１００１において接合された第１のケース７０２と第２のケース７０３とにシャッター４を取付ける。
Ｓ１００３：シャッター４が取付けられたカートリッジケース７０４に、カートリッジ部品（第１のケース７０２、第２のケース７０３、シャッターロック５、ライトプロテクト７０６、シャッター４）の組み合わせ不良があるか否かを判定する。すなわち、カートリッジの機能が検査される。ここで、シャッター４が取付けられたカートリッジケース７０４に組み合わせ不良があると判定されると、光ディスク１を挿入することなく、カートリッジケース７０４は破棄される。組み合わせ不良がないと判定されたディスクカートリッジ７０４は、ステップＳ１００４に進む。
ステップＳ１００１〜ステップＳ１００２は、図９（ａ）の状態に相当する。
Ｓ１００４：Ｘ＝Ｌの位置において、第１のケース７０２と第２のケース７０３とを引き離す方向（図９のＣ、Ｄの方向）に力を印加することによって、Ｘ＝０付近以外の位置（図９の２ｆ）おいて第１のケース７０２と第２のケース７０３との間に隙間を設ける。力を印加することによって、第１のケース７０２の厚さよりも薄い第２のケース７０３が撓むので、接合された第１のケース７０２と第２のケース７０３とが破損することはない。
Ｓ１００５：ステップＳ１００４で設けた隙間から光ディスク１を挿入する。
Ｓ１００６：光ディスク１がカートリッジケース７０４内に完全に挿入された後、Ｘ＝０付近以外の位置（図９の２ｆ）において第１のケース７０２と第２のケース７０３とを接合する。ステップＳ１００１と同様に、第１のケース７０２と第２のケース７０３とは、溶着または機械接合によって強固に接合される。なお、Ｘ＝０付近以外の位置における接合は、第１のケース７０２と第２のケース７０３との辺を接合してもよいし、Ｘ＝Ｌである位置の第１のケース７０２と第２のケース７０３との隅を接合してもよい。
ステップＳ１００４〜ステップＳ１００６は、図９（ｂ）の状態に相当する。
ステップＳ１００１〜ステップＳ１００６を行うことによって、ディスクカートリッジ７００が完成する。
本発明の実施の形態２によるディスクカートリッジ７００によれば、第１のケース７０２と第２のケース７０３とは、第１のケース７０２の厚さｄ１と第２のケース７０３の厚さｄ２との関係が以下の３つの条件を満たすように形成されている。▲１▼Ｘ＝０付近の位置では、第１のケース７０２の厚さと第２のケース７０３の厚さとの関係は、ｄ１＝ｄ２であり、▲２▼Ｘ＝０付近以外の位置では、第１のケース７０２の厚さと第２のケース７０３の厚さとの関係は、ｄ１≠ｄ２であり、▲３▼０≦Ｘ≦Ｌにおいて、第１のケースの厚さ７０２と第２のケース７０３の厚さとの和は、一定（＝ｄ１＋ｄ２）である。このような構成により、第１のケース７０２と第２のケース７０３とのうち薄い方のケースが撓みやすくなる。
光ディスク１以外のカートリッジ部品を組み立て、その後光ディスク１を挿入することができるので、光ディスク製造プロセスと関係なく、第１のケース７０２と、第２のケース７０３と、シャッター４と、シャッターロック５と、ライトプロテクト７０６とでカートリッジを組み立てて、組み立てられたカートリッジの組み合わせ不良があるか否かを判定することができる。従来の製造方法とは異なり、本発明の実施の形態２の製造方法を用いれば、良品の光ディスクを不良品として破棄することがないので、歩留まりおよびコスト効率が向上する。また、製造プロセスにおける自由度が増すので、光ディスクとカートリッジとをそれぞれに適した環境で完全に独立して製造することができ、製造コストを低下させることが可能である。
また、本発明の実施の形態２によれば、ライトプロテクト７０６は、ライトプロテクト７０６に設けられた案内溝６ａと第１のケース７０２または第２のケース７０３のいずれかに設けられた突出部２ｈとが係合することによって、カートリッジ７０４から外れないように構成されている。これにより、ディスクカートリッジ７００の製造プロセスにおいて、第１のケース７０２と第２のケース７０３との間に設けた隙間に光ディスク１を挿入する際に、ライトプロテクト７０６がカートリッジケース７０４から外れるのを防ぐことができる。
なお、実施の形態２のディスクカートリッジ７００に実施の形態１のシャッター４および第１のケース２を用いてもよい。この場合、薄型化、かつ、歩留まりが向上したディスクカートリッジを提供することができる。
産業上の利用の可能性
本発明によるディスクカートリッジは、ディスクを回転可能に収納し、開口部と窪み部とを有するカートリッジケースと、窪み部上をスライドして開口部を開閉するシャッターと備える。カートリッジケースとシャッターとは、それぞれ第１の係合部と第２の係合部とを有する。第１の係合部と第２の係合部とは、開口部が閉状態時にのみ、第２の係合部の少なくとも一部が第１の係合部よりも下に位置した状態で係合するように形成されている。これにより、ディスクカートリッジがディスク駆動装置の外にある時（開口部が閉状態時）のシャッターの浮き上がりを防止することができる。
また、シャッターの浮き上がり防止を開口部が閉状態時にのみ行うため、シャッターとカートリッジケースとの間の遊びを考慮することなく、第１の係合部と第２の係合部とを設計することができる。したがって、カートリッジケースの薄型化を可能にする。
【図面の簡単な説明】
図１は、本発明の実施の形態１のディスクカートリッジ１００の構成を示す。
図２は、本発明の実施の形態１のカートリッジケース１０１の斜視図である。
図３は、本発明の実施の形態１のシャッター４の斜視図である。
図４は、本発明の実施の形態１のディスクカートリッジ１００の斜視図である。
図５は、シャッター４が樹脂からなる場合の、図４のＡ−Ａ断面図である。
図６は、シャッター４が金属からなる場合の、図４のＡ−Ａ断面図である。
図７は、本発明の実施の形態２のディスクカートリッジ７００の構成を示す。
図８は、本発明のライトプロテクト７０６と第１のケース７０２の一部とを示す。
図９は、本発明の実施の形態２のディスクカートリッジ７００の製造方法を示す。
図１０は、本発明の実施の形態２のディスクカートリッジ７００を製造する手順を示すフローチャートである。
図１１は、従来技術のディスクカートリッジ１１００の斜視図である。
図１２は、別の従来技術のディスクカートリッジ１２００の斜視図である。
図１３は、図１２のＡ−Ａ断面図を示す。
図１４は、従来技術のディスクカートリッジ１１００の製造方法を示す。
図１５は、従来技術のライトプロテクト１６と第１のケース１２の一部とを示す。
【図１】
2002086893.tif 000003
【図２】
2002086893.tif 000004
【図３】
2002086893.tif 000005
【図４】
2002086893.tif 000006
【図５】
2002086893.tif 000007
【図６】
2002086893.tif 000008
【図７】
2002086893.tif 000009
【図８】
2002086893.tif 000010
【図９】
2002086893.tif 000011
【図１０】
2002086893.tif 000012
【図１１】
2002086893.tif 000013
【図１２】
2002086893.tif 000014
【図１３】
2002086893.tif 000015
【図１４】
2002086893.tif 000016
【図１５】
2002086893.tif 000017
【国際調査報告】
2002086893.tif 000018
2002086893.tif 000019